(57)【特許請求の範囲】
【請求項１】
送信信号と受信信号とを時分割複信方式で切り替えて通信するとともに、前記受信信号に格納されている同期信号に基づいて送受信の切替時刻を示す送受信切替信号を生成する切替信号生成部を備えた無線通信装置に用いられる利得調整回路であって、
前記無線通信装置が受信する受信信号から検出される検波電圧を検出する検出部と、
前記検波電圧に基づいて、前記受信信号の利得調整を行う利得調整部と、
前記送受信切替信号に基づいて、検波電圧を参照する検波時刻を設定し、この検波時刻で検波電圧を取り込むとともに、前記利得調整部に前記受信信号の利得調整を行わせる調整時刻を設定し、前記取り込んだ検波電圧に基づいて、前記利得調整部に前記調整時刻で利得調整を行わせる制御を行う制御部と、を備え、
前記調整時刻が、前記無線通信装置が受信信号を受信する信号受信時間帯における、前記無線通信装置が用いる情報が格納されている時間帯以外の時間帯に設定されていることを特徴とする利得調整回路。
【請求項２】
前記信号受信時間帯における、前記無線通信装置が用いる情報が格納されている時間帯以外の時間帯は、前記通信フレーム中に割り当てられている下りリンクマップ情報と、上りリンクマップ情報との間に介在している情報が格納されていない時間帯、又は、前記通信フレーム中にユーザデータを格納するために割り当てられている下りバースト領域内で、ユーザデータが格納されていない時間帯である請求項１に記載の利得調整回路。
【請求項３】
前記制御部は、前記検波時刻を前記信号受信時間帯に設定する請求項１又は２に記載の利得調整回路。
【請求項４】
送信信号と受信信号とを時分割複信方式で切り替えて通信するとともに、前記受信信号に格納されている同期信号から送受信の切替時刻を示す送受信切替信号を生成する切替信号生成部を備えた無線通信装置に用いられる利得調整回路であって、
前記無線通信装置が受信する受信信号から検出される検波電圧を検出する検出部と、
前記検波電圧に基づいて、前記受信信号の利得調整を行う利得調整部と、
前記送受信切替信号に基づいて、前記利得調整部に前記受信信号の利得調整を行わせる調整時刻を設定し、この調整時刻で前記利得調整部に利得調整を行わせる制御を行う制御部と、を備え、
前記調整時刻が、前記無線通信装置が受信信号を受信する信号受信時間帯における、前記無線通信装置が用いる情報が格納されている時間帯以外の時間帯に設定されていることを特徴とする利得調整回路。
【請求項５】
送信信号と受信信号とを時分割複信方式で切り替えて通信する通信部と、前記受信信号の利得を調整する利得調整回路とを備えた無線通信装置であって、
前記通信部は、前記受信信号に格納されている同期信号から送受信の切替時刻を示す送受信切替信号を生成する切替信号生成部を備え、
前記利得調整回路は、
当該無線通信装置が受信する受信信号から検出される検波電圧を検出する検出部と、
前記検波電圧に基づいて、前記受信信号の利得調整を行う利得調整部と、
前記送受信切替信号に基づいて、検波電圧を参照する検波時刻を設定し、この検波時刻で検波電圧を取り込むとともに、前記利得調整部に前記受信信号の利得調整を行わせる調整時刻を設定し、前記取り込んだ検波電圧に基づいて、前記利得調整部に前記調整時刻で利得調整を行わせる制御を行う制御部と、を備え、
前記調整時刻が、前記無線通信装置が受信信号を受信する信号受信時間帯における、前記無線通信装置が用いる情報が格納されている時間帯以外の時間帯に設定されていることを特徴とする無線通信装置。
【請求項６】
送信信号と受信信号とを時分割複信方式で切り替えて通信する通信部と、前記受信信号の利得を調整する利得調整回路とを備えた無線通信装置であって、
前記通信部は、前記受信信号に格納されている同期信号から送受信の切替時刻を示す送受信切替信号を生成する切替信号生成部を備え、
前記利得調整回路は、
当該無線通信装置が受信する受信信号から検出される検波電圧を検出する検出部と、
前記検波電圧に基づいて、前記受信信号の利得調整を行う利得調整部と、
前記送受信切替信号に基づいて、前記利得調整部に前記受信信号の利得調整を行わせる調整時刻を設定し、この調整時刻で前記利得調整部に利得調整を行わせる制御を行う制御部と、を備え、
前記調整時刻が、前記無線通信装置が受信信号を受信する信号受信時間帯における、前記無線通信装置が用いる情報が格納されている時間帯以外の時間帯に設定されていることを特徴とする無線通信装置。
【発明の詳細な説明】
【技術分野】
【０００１】
本発明は、広帯域移動無線通信システムなどに用いられる無線通信装置用の利得調整回路、及び無線通信装置に関するものである。
【背景技術】
【０００２】
近年、広範囲なエリアを無線でカバーして高速ブロードバンドサービスを提供することができる通信システムとして、例えば、ＩＥＥＥ８０２．１６に規定されるいわゆる「ＷｉＭＡＸ」と呼ばれる広帯域移動無線通信システム（Ｂｒｏａｄｂａｎｄ  Ｗｉｒｅｌｅｓｓ  Ａｃｃｅｓｓ  Ｓｙｓｔｅｍ、以下、ＢＷＡシステムともいう）が、注目されている。
上記ＢＷＡシステムは、基地局装置と、この基地局装置との間で無線通信を確立する移動端末とを有しており、前記基地局装置は、前記移動端末に対して、広帯域の無線通信サービスを提供する。
一般に、無線通信システムにおいて、基地局装置から送信され移動端末が受信する受信信号の信号レベルは、前記移動端末の基地局に対する位置や周囲の環境によって大きく変化する。このため、移動端末の受信部には、いわゆる自動利得調整回路が組み込まれている。このような自動利得調整回路には、受信信号レベルが移動端末に組み込まれているＡＤ変換器のダイナミックレンジの範囲内に収まるように利得調整するものがあり、受信信号を包絡線検波して得られた検波電圧に基づいて、利得調整するように構成されている（例えば、特許文献１参照）。
【０００３】
【特許文献１】特開平９−１３０３４２号公報
【発明の開示】
【発明が解決しようとする課題】
【０００４】
一方、上記ＢＷＡシステムでは、時間軸上で、上り通信と下り通信とを分割するＴＤＤ（Ｔｉｍｅ  Ｄｉｖｉｓｉｏｎ  Ｄｕｐｌｅｘ：時分割複信）通信方式が採用されている。このＴＤＤ通信方式による移動端末は、下り通信フレームの時間帯では信号を受信するが、上り通信フレームの時間帯では信号を受信しないため、この受信信号を包絡線検波したときの電力レベルには、例えば、図３中、下段の図に示すように、周期的な変動が生じる。
このため、検波電圧を取り込むタイミングによっては、同じ受信信号電力であっても検波電圧の値が異なるので、上記従来の自動利得調整回路では、受信信号電力を正確に計測することが困難であるとともに、安定した利得調整を行うことができないおそれがあった。
さらに、上記従来例の自動利得調整回路においては、例えば、下りフレームにおいて、同期信号が格納される領域の受信の最中に利得調整が行われる可能性があり、受信信号を復調する際の精度が低下するというおそれもあった。
【０００５】
以上のように、従来の自動利得調整回路をＴＤＤ通信方式の無線通信装置に適用する場合、時間軸上で上り通信と下り通信とが分割されることに起因して、安定した利得調整が行えないという問題を有していた。
【０００６】
本発明はこのような事情に鑑みてなされたものであり、受信信号の復調精度の低下を抑制しつつ安定的に利得調整を行うことができる利得調整回路、及び無線通信装置を提供することを目的とする。
【課題を解決するための手段】
【０００７】
上記目的を達成するための本発明は、送信信号と受信信号とを時分割複信方式で切り替えて通信するとともに、前記受信信号に格納されている同期信号に基づいて送受信の切替時刻を示す送受信切替信号を生成する切替信号生成部を備えた無線通信装置に用いられる利得調整回路であって、前記無線通信装置が受信する受信信号から検出される検波電圧を検出する検出部と、前記検波電圧に基づいて、前記受信信号の利得調整を行う利得調整部と、前記送受信切替信号に基づいて、検波電圧を参照する検波時刻を設定し、この検波時刻で検波電圧を取り込むとともに、前記利得調整部に前記受信信号の利得調整を行わせる調整時刻を設定し、前記取り込んだ検波電圧に基づいて、前記利得調整部に前記調整時刻で利得調整を行わせる制御を行う制御部と、を備え、前記調整時刻が、前記無線通信装置が受信信号を受信する信号受信時間帯における、前記無線通信装置が用いる情報が格納されている時間帯以外の時間帯に設定されていることを特徴としている。
【０００８】
上記のように構成された利得調整回路によれば、制御部は、切替信号生成部によって生成される送受信切替信号に基づいて、検波電圧を検出する検波時刻、及び利得調整を行う調整時刻を設定することができるので、検波電圧の検出及び利得調整を行うタイミングをそれぞれ好適に設定することができる。
【０００９】
上記利得調整回路において、前記信号受信時間帯における、前記無線通信装置が用いる情報が格納されている時間帯以外の時間帯は、前記通信フレーム中に割り当てられている下りリンクマップ情報と、上りリンクマップ情報との間に介在している情報が格納されていない時間帯、又は、前記通信フレーム中にユーザデータを格納するために割り当てられている下りバースト領域内で、ユーザデータが格納されていない時間帯である。
また、前記制御部は、前記検波時刻を前記信号受信時間帯に設定することができる。
この場合、前記制御部は、信号受信時間帯にて検出される検波電圧を取り込み、利得調整部に利得を調整させるので、現状の受信信号に基づいた検波電圧よって利得調整を行うことができ、安定的に利得調整を行うことができる。
【００１０】
また、本発明は、送信信号と受信信号とを時分割複信方式で切り替えて通信するとともに、前記受信信号に格納されている同期信号から送受信の切替時刻を示す送受信切替信号を生成する切替信号生成部を備えた無線通信装置に用いられる利得調整回路であって、前記無線通信装置が受信する受信信号から検出される検波電圧を検出する検出部と、前記検波電圧に基づいて、前記受信信号の利得調整を行う利得調整部と、前記送受信切替信号に基づいて、前記利得調整部に前記受信信号の利得調整を行わせる調整時刻を設定し、この調整時刻で前記利得調整部に利得調整を行わせる制御を行う制御部と、を備え、前記調整時刻が、前記無線通信装置が受信信号を受信する信号受信時間帯における、前記無線通信装置が用いる情報が格納されている時間帯以外の時間帯に設定されていることを特徴としている。
【００１１】
上記のように構成された利得調整回路によれば、制御部は、切替信号生成部によって生成される送受信切替信号に基づいて、利得調整を行う調整時刻を設定することができるので、利得調整を行うタイミングを好適に設定することができる。
また、前記制御部は、前記送受信切替信号に基づいて、前記無線通信装置が送信信号を送信する信号送信時間帯を特定し、前記調整時刻を前記信号送信時間帯に設定することができる。
【００１２】
上記のように調整時刻を信号送信時間帯に設定することで、利得調整部は、通信装置が受信信号を受信していない信号送信時間帯に利得調整を行うことができる。すなわち、信号受信時間帯には、利得調整部が利得調整を行わないように設定できるので、受信信号の受信中に当該受信信号を乱してしまうのを防止することができる。よって、その後に受信信号を復調する際の復調精度が低下するのを抑制することができる。
【００１３】
また、前記制御部は、前記送受信切替信号に基づいて、前記無線通信装置が用いる前記同期信号が格納されている同期信号格納時間帯を特定し、前記調整時刻を前記同期信号格納時間帯以外の時刻に設定するものであってもよい。
この場合、利得調整部は、同期信号が格納されている同期信号格納時間帯には、利得調整を行わないので、前記情報の受信中に受信信号を乱してしまうのを防止することができる。よって、その後に受信信号を復調する際の復調精度が低下するのを抑制することができる。
【００１４】
また、本発明は、送信信号と受信信号とを時分割複信方式で切り替えて通信する通信部と、前記受信信号の利得を調整する利得調整回路とを備えた無線通信装置であって、前記通信部は、前記受信信号に格納されている同期信号から送受信の切替時刻を示す送受信切替信号を生成する切替信号生成部を備え、前記利得調整回路は、当該無線通信装置が受信する受信信号から検出される検波電圧を検出する検出部と、前記検波電圧に基づいて、前記受信信号の利得調整を行う利得調整部と、前記送受信切替信号に基づいて、検波電圧を参照する検波時刻を設定し、この検波時刻で検波電圧を取り込むとともに、前記利得調整部に前記受信信号の利得調整を行わせる調整時刻を設定し、前記取り込んだ検波電圧に基づいて、前記利得調整部に前記調整時刻で利得調整を行わせる制御を行う制御部と、を備え、前記調整時刻が、前記無線通信装置が受信信号を受信する信号受信時間帯における、前記無線通信装置が用いる情報が格納されている時間帯以外の時間帯に設定されていることを特徴としている。
【００１５】
上記のように構成された無線通信装置によれば、上述のように、検波電圧の検出及び利得調整を行うタイミングをそれぞれ好適に設定することができ、安定的に利得調整を行うことができる。
【００１６】
また、本発明は、送信信号と受信信号とを時分割複信方式で切り替えて通信する通信部と、前記受信信号の利得を調整する利得調整回路とを備えた無線通信装置であって、前記通信部は、前記受信信号に格納されている同期信号から送受信の切替時刻を示す送受信切替信号を生成する切替信号生成部を備え、前記利得調整回路は、当該無線通信装置が受信する受信信号から検出される検波電圧を検出する検出部と、前記検波電圧に基づいて、前記受信信号の利得調整を行う利得調整部と、前記送受信切替信号に基づいて、前記利得調整部に前記受信信号の利得調整を行わせる調整時刻を設定し、この調整時刻で前記利得調整部に利得調整を行わせる制御を行う制御部と、を備え、前記調整時刻が、前記無線通信装置が受信信号を受信する信号受信時間帯における、前記無線通信装置が用いる情報が格納されている時間帯以外の時間帯に設定されていることを特徴としている。
【００１７】
上記のように構成された無線通信装置によれば、上述のように、利得調整を行うタイミングを好適に設定することができでき、安定的に利得調整を行うことができる。
【発明の効果】
【００１８】
以上のように、本発明の利得調整回路、及び無線通信装置によれば、受信信号の復調精度の低下を抑制しつつ安定的に利得調整を行うことができる。
【発明を実施するための最良の形態】
【００１９】
〔通信システムの全体構成〕
次に、参考例について添付図面を参照しながら説明する。図１は、広帯域移動無線通信システム（ＢＷＡシステム）の全体構成を示す図である。このＢＷＡシステムは、例えば、広帯域無線通信を実現するために直交周波数分割多元接続（ＯＦＤＭＡ）方式をサポートするＩＥＥＥ８０２．１６に規定されるいわゆる「ＷｉＭＡＸ」と呼ばれる無線通信システムが採用されており、多数の基地局１０（以下、ＢＳ１０ともいう）と、移動が可能な移動端末２０（以下、ＭＳ２０ともいう）とを有して構成される。
ＢＳ１０は、その周囲にＭＳ２０との間で無線通信可能な範囲であるセルＳを設定しており、このセルＳ内に位置するＭＳ２０に対して、無線通信による高速のブロードバンドサービスを提供する。また、セルＳは、隣接するセルＳと互いに重なり合うように設定されており、これら多数のセルＳによって、本ＢＷＡシステムのサービスエリア全体が構成されている。
通信が確立されているＢＳ１０とＭＳ２０との間では、所定の通信フレームに情報（ユーザデータ）を載せることで、当該情報の送受信が可能であり、ＭＳ２０は、このユーザデータの送受信によって、外部のネットワークへのエントリーが可能となる。
【００２０】
〔移動端末の構成〕
図２は、ＭＳ２０の構成を示したブロック図である。本参考例のＢＷＡシステムでは、ＷｉＭＡＸの規定に基づいて、送信信号と受信信号とを時分割複信方式で切り替えて通信する、いわゆるＴＤＤ（Ｔｉｍｅ Ｄｉｖｉｓｉｏｎ Ｄｕｐｌｅｘ：時分割複信）通信方式が採用されており、ＭＳ２０においても、ＴＤＤ通信方式に対応して構成されている。
ＭＳ２０は、ＢＳ１０との間で無線通信を行うための信号を送受信するアンテナ２１と、送信信号に係るＤ／Ａ変換、変調、及び増幅等の処理を行う送信部２２と、受信信号の処理を行うための受信部２３と、アンテナ２１と送受信部２２，２３との間に接続された切替器２４と、各部の制御を行うとともに無線通信に関する各種処理を行う通信制御／ベースバンド処理部２５と、ＢＳ１０とＭＳ２０との間で無線通信を介して授受されるユーザデータの入出力を行うための入出力部２６とを有している。
【００２１】
受信部２３は、アンテナ２１側に接続されたバンドパスフィルタ２３ａを有しており、さらにこのバンドパスフィルタ２３ａから通信制御／ベースバンド処理部２５に向かって順に接続された、アンプ２３ｂと、自動利得調整回路３０と、直交復調器２３ｃと、Ａ／Ｄ変換器２３ｄと、を有しており、受信信号に係る増幅、復調、及びＡ／Ｄ変換等の処理を行う。
また、自動利得調整回路３０は、アンプ２３ｂにより増幅された受信信号の信号レベルをＡ／Ｄ変換器２３ｄのダイナミックレンジの範囲内に収まるように利得調整するものである。この自動利得調整回路３０については、後に詳述する。
【００２２】
通信制御／ベースバンド処理部２５は、ＣＰＵ、メモリ（ＲＡＭ）及び記憶装置（ハードディスクやＲＯＭ）等を有するマイコンにより構成されており、各部を制御することでＢＳ１０との無線通信を確立する処理を行ったり、ＢＳ１０から送信される受信信号の通信フレームからユーザデータを取り出して入出力部２６に出力したり、入出力部２６に入力されるユーザデータを通信フレームに乗せることで送信可能にしたりといった処理を行う。
また、通信制御／ベースバンド処理部２５は、受信信号に含まれる同期信号に基づいて、送受信の切替時刻を示す情報である送受信切替信号を生成する切替信号生成部２５ａを有している。切替信号生成部２５ａは、受信信号に含まれる同期信号を取得することで送受信切替信号を生成するとともに、この送受信切替信号を切替器２４に出力することで、当該切替器２４の制御を行う。
【００２３】
切替器２４は、アンテナ２１への接続を、送信部２２側又は受信部２３側のいずれか一方に切り替えることができるように構成されており、ＭＳ２０が信号を送信する際には、アンテナ２１を送信部２２側に接続し、ＢＳ１０からの信号を受信する際には、受信部２３側に接続する。切替器２４は、上記の切替動作を、上述の切替信号生成部２５ａから出力される送受信切替信号に基づいて行う。
【００２４】
図３は、本システムの通信フレーム構成、及び、後述する、ＢＳ１０が送信する送信信号の出力波形及びこれに対応する検出部３１による検波出力波形の一例を示した図である。なお、図中横軸は経過時間である。
図３中の上段に示す、本システムの通信フレームＳは、ＭＳ２０が受信する受信信号が割り当てられる下りサブフレームＤと、ＭＳ２０が送信する送信信号が割り当てられる上りサブフレームＵとによって構成され、両サブフレームＤ，Ｕは、時間軸上に交互に配列されており、ＴＤＤ通信方式における一般的な構造を有している。
下りサブフレームＤには、前値信号（Ｐｒｅａｍｂｌｅ）、フレーム制御ヘッダ（ＦＣＨ）、下りリンクマップ情報（ＤＬ−ＭＡＰ）、及び上りリンクマップ情報（ＵＬ−ＭＡＰ）といった、通信を確立するために必要な情報の後に、ユーザデータが格納される下りバースト領域（Ｂｕｒｓｔ）が割り当てられている。
その後、下りサブフレームＤと上りサブフレームＵとの間を分けるために信号の送受信が行われないギャップＧ１が所定時間割り当てられており、このギャップＧ１の後に、上りサブフレームＵが割り当てられる。
また、上りサブフレームＵから下りサブフレームＤへ切り替わる間にも同様にギャップＧ２が割り当てられている。これらギャップＧ１，２は、送受信の切り替えのために、両サブフレームＤ，Ｕの間のそれぞれに介在して割り当てられている。
【００２５】
通信制御／ベースバンド処理部２５の切替信号生成部２５ａは、下りサブフレームＤに格納されている、通信を確立するために必要な情報の中から、通信フレームＳを一周期として上記ギャップＧ１，Ｇ２の周期毎の時間帯に関する情報、又は、ＢＳ１０との動作タイミングの同期を取るための同期信号を取得し、それに従って、送受信を切り替える周期毎の切替時刻（例えば、図３中の切替時刻ｔ１，ｔ２）を決定する。そして、この切替時刻を示す送受信切替信号を生成し、切替器２４に対して出力する。送受信切替信号を受けた切替器２４は、上述のように当該送受信切替信号に従って切替動作を行う。ここで、通信制御／ベースバンド処理部２５は、ＢＳ１０との間で通信を確立しているとき、ＢＳ１０との間で動作タイミングが同期されているので、切替器２４は、通信フレームＳに同期した切替動作を行うことができる。
以上のようにして、ＭＳ２０は、ＴＤＤ通信方式に基づいた通信を行うことができる。
なお、切替時刻ｔ１で出力される送受信切替信号には下りから上りに切り替える旨の情報が、切替時刻ｔ２で出力される送受信切替信号には上りから下りに切り替える旨の情報が、それぞれ格納される。
次に、受信部２３の有する自動利得調整回路３０について説明する。
【００２６】
自動利得調整回路３０は、上述のように、ＭＳ２０が受信した受信信号の信号レベルをＡ／Ｄ変換器２３ｄのダイナミックレンジの範囲内に収まるように利得調整するものであり、ＭＳ２０が受信する受信信号から検波電圧を検出する検出部３１と、この検出部３１が検出した検波電圧に基づいてアンプ２３ｂにより増幅された受信信号の利得調整を行う利得調整部３２と、各部の制御を行う制御部３４とを有している。
制御部３４は、通信制御／ベースバンド処理部２５の切替信号生成部２５ａに接続されており、切替信号生成部２５ａが出力する送受信切替信号が入力されるように構成されている。また、制御部３４は、この入力される送受信切替信号に基づいて、利得調整部３２を制御するように構成されている。具体的には、制御部３４は、利得調整を行うことを決定すると、その行う時刻に利得調整に必要なパラメータ等が格納された利得調整信号を利得調整部３２に対して送信する。利得調整信号を受信した利得調整部３２は、この信号に基づいて利得調整を行う。
なお、この利得調整部３２の制御の内容については後述する。
検出部３１は、ＭＳ２０が受信する受信信号を包絡線検波し、検波電圧を検出するように構成されている。ここで、検出部３１が検出する検波電圧について説明する。
【００２７】
〔検波電圧について〕
図３を参照して、図中中段には、上段の本システムの通信フレーム構成に対応するＢＳ１０の送信信号の出力波形、下段には検出部３１の検波出力波形を示しており、横軸は経過時間を示している。
ＢＳ１０から送信される送信信号は、通信フレームＳの内、下りサブフレームＤに割り当てられるので、その出力波形Ａは、図３の中段に示すように、下りサブフレームＤの時間帯で送信信号が出力され、ＭＳ２０の送信に割り当てられる上りサブフレームＵの時間帯では送信信号が出力されないので、周期的に凹凸となる形状となる。なお、図において、出力波形Ａについては、理解を容易にするために、縦軸の単位を「ｄＢｍ」としている。
【００２８】
さらに、ＢＳ１０から送信された上記態様の信号をＭＳ２０が受信し、検出部３１がその受信信号を包絡線検波したときの検波出力波形Ｂは、図３の下段に示すものとなる。なお、この検波出力波形Ｂについては、縦軸の単位を「Ｖ」として示している。この検波出力波形Ｂは、下りサブフレームＤの時間帯ｄでは、下りサブフレームＤに割り当てられたＢＳ１０からの送信信号を受信するので、ほぼ一定の検波電圧を示す。一方、上りサブフレームＵの時間帯では、上記のように信号を受信しないので、なだらかではあるが検波電圧が低下する。これにより、検波出力波形Ｂは、両サブフレームＤ，Ｕに応じて周期的に変動する波形となる。なお、検出部３１には、平滑回路が組み込まれており、所定の条件によって平滑化されて、図に示すようななだらかに変化する波形が得られる。
この検波出力波形Ｂから、下りサブフレームＤの時間帯ｄでは、ＭＳ２０がＢＳ１０からの信号を受信するので現状の受信信号に基づいた検波電圧が得られ、上りサブフレームＵの時間帯ｕでは、ＭＳ２０は信号を受信しないので、現状の受信信号のレベルよりも低い検波電圧が得られることが判る。
次に、制御部３４が行う、検出部３１及び利得調整部３２の制御の内容について説明する。
【００２９】
〔制御部の制御の内容について〕
制御部３４は、切替信号生成部２５ａから出力される送受信切替信号に基づいて、検出部３１が経時的に検出する検波電圧から、当該制御部３４が検波電圧を参照する検波時刻、及び、利得調整部３２が受信信号の利得調整を行う調整時刻を設定し、前記検波時刻で検波電圧を取り込むとともに、前記調整時刻で利得調整部３２に利得調整を行わせる制御を行う機能を有している。
すなわち、制御部３４は、送受信切替信号から、通信制御／ベースバンド処理部２５（切替信号生成部２５ａ）が送受信を切り替える切替時刻ｔ１，ｔ２を把握することができるとともに、ＭＳ２０が受信信号を受信する信号受信時間帯である下りサブフレームＤの時間帯ｄと、ＭＳ２０が信号を送信する信号送信時間帯である上りサブフレームＵの時間帯ｕとを特定することができる。
制御部３４は、特定した上記両サブフレームＤ，Ｕに関する情報に基づいて、当該制御部３４が検波電圧を取り込む検波時刻ｔ３を、下りサブフレームＤの時間帯ｄに設定する。これにより、制御部３４は、下りサブフレームＤの時間帯ｄにおいて検出される、ＭＳ２０が実際に受信している現状の受信信号に基づいた検波電圧を取り込むことができる。
また、制御部３４は、利得調整部３２が受信信号の利得調整を行う調整時刻ｔ４を、上りサブフレームＵの時間帯ｕに設定する。
【００３０】
上記のように構成された利得調整回路３０、及びＭＳ２０によれば、制御部３４は、切替信号生成部２５ａによって生成される送受信切替信号に基づいて、検波電圧を検出する検波時刻、及び利得調整を行う調整時刻を設定することができるので、検波電圧の検出及び利得調整を行うタイミングをそれぞれ好適に設定することができる。
つまり、制御部３４は、上述のように、送受信切替信号に基づいて、ＭＳ２０が受信信号を受信する下りサブフレームＤの時間帯ｄを特定し、検波時刻を時間帯ｕに設定することができる。
この場合、制御部３４は、時間帯ｕにて検出される検波電圧を取り込み、利得調整部３２に利得を調整させるので、現状の受信信号に基づいた検波電圧よって利得調整を行うことができ、安定的に利得調整を行うことができる。
【００３１】
また、制御部３４は、上述のように送受信切替信号に基づいて、利得調整部３２が利得調整を行う調整時刻を設定することができるので、利得調整を行うタイミングを好適に設定することができる。
さらに、制御部３４は、送受信切替信号に基づいて、上りサブフレームＵの時間帯ｕを特定し、調整時刻を時間帯ｕに設定することができる。この場合、利得調整部３２は、ＭＳ２０が受信信号を受信していない時間帯ｕに利得調整を行うことができる。すなわち、下りサブフレームＤの時間帯ｄには、利得調整部３２が利得調整を行わないように設定できるので、受信信号の受信中に当該受信信号を乱してしまうのを防止することができる。これによって、その後に受信信号を復調する際の復調精度が低下するのを抑制することができる。
以上のように、本参考例の利得調整回路３０、及びＭＳ２０によれば、受信信号の復調精度の低下を抑制しつつ安定的に利得調整を行うことができる。
【００３２】
また、上記参考例において、制御部３４は、切替信号生成部２５ａから取得した送受信切替信号に基づいて、利得調整部３２の利得調整を行う調整時刻ｔ４を設定したが、例えば、制御部３４が、切替信号生成部２５ａからの切替信号に加えて、通信フレームＳに格納されている情報に関するマップ情報を取得し、これら切替信号及びマップ情報に基づいて、利得調整部３２の利得調整を行う調整時刻ｔ４を設定するようにしてもよい。
上述の参考例に対して、本発明に係る利得調整回路３０は、以下の点において上記参考例と相違する。すなわち、本発明に係る利得調整回路３０の制御部３４は、通信フレームＳ内で、ＭＳ２０が通信を確立するために必要とする情報（Ｐｒｅａｍｂｌｅ、ＦＣＨ、ＤＬ−ＭＡＰ、ＵＬ−ＭＡＰ）や、ユーザデータが格納される下りバースト領域（Ｂｕｒｓｔ）、ＢＳ１０との動作タイミングの同期を取るための同期信号といった、ＭＳ２０が用いる情報が格納されている時間帯を特定し、調整時刻をその時間帯以外の時間帯に設定することができる。
例えば、制御部３４は、前記同期信号が格納されている同期信号格納時間帯を特定し、調整時刻をこの同期信号格納時間帯以外の時刻に設定することができる。
【００３３】
また、上記ＭＳ２０が用いる情報が格納されている時間帯以外の時間帯としては、例えば、図３の上段の通信フレームＳ中、ＤＬ−ＭＡＰとＵＬ−ＭＡＰとの間に介在する情報が格納されていないＥｍｐｔｙに相当する時間帯ｅや、下りバースト領域内で、ユーザデータが格納されていない時間帯等が挙げられる。
この場合においても、本発明に係る利得調整部３２は、通信フレームＳ内でＭＳ２０が用いる情報が格納されている時間帯には、利得調整を行わないので、前記情報の受信中に受信信号を乱してしまうのを防止することができる。これによって、その後に受信信号を復調する際の復調精度が低下するのを抑制することができる。
【００３４】
本発明は、上記実施形態に限定されるものではない。例えば、上記実施形態では、移動端末に本発明の利得調整回路を適用した場合を例示したが、基地局装置側に適用することもできる。
【図面の簡単な説明】
【００３５】
【図１】広帯域移動無線通信システム（ＢＷＡシステム）の全体構成を示す図である。
【図２】ＭＳの構成を示したブロック図である。
【図３】本システムの通信フレーム構成、及び、ＢＳが送信する送信信号の出力波形及びこれに対応する検出部による検波出力波形の一例を示した図である。
【符号の説明】
【００３６】
１０    ＢＳ（基地局）  ２０    ＭＳ（移動端末、無線通信装置）
２１    アンテナ        ２２    送信部          ２３    受信部      
２３ａ  バンドパスフィルタ  ２３ｂ  アンプ      ２３ｃ  直交復調器  
２３ｄ  Ａ／Ｄ変換器    ２４    切替器
２５    通信制御／ベースバンド処理部            ２５ａ    切替信号生成部
２６    入出力部        ３０    自動利得調整回路
３１    検出部          ３２    利得調整部      ３４    制御部
Ｄ      下りサブフレーム  Ｓ    通信フレーム    Ｕ      上りサブフレーム
ｄ      時間帯          ｅ      時間帯          ｕ      時間帯
ｔ１    切替時刻        ｔ２    切替時刻        ｔ３    検波時刻
ｔ４    調整時刻
【図１】
0004858373.tif 000002
【図２】
0004858373.tif 000003
【図３】
0004858373.tif 000004